(57)【要約】【課題】無線通信システムにおいてリセットを処理する方法及び装置を提供する。【解決手段】方法は、第二通信装置から出力されたパケットを受信器で受信する段階と、上記パケットに基づいて、受信器でプロトコルエラーが検出されたときに該受信器でリセットプロセスを起動する段階と、リセットプロセスの起動後に、第一送信器をリセットせずに受信器をリセットする段階とを含む。【選択図】図３
2008172796.tif 000002
【特許請求の範囲】
【請求項１】
無線通信システムの第一通信装置においてリセットを処理するリセット処理方法であって、該第一通信装置は第一送信器と受信器を含み、該方法は、
第二通信装置から出力されたパケットを受信器で受信する段階と、
上記パケットに基づいて、受信器でプロトコルエラーが検出されたときに該受信器でリセットプロセスを起動する段階と、
リセットプロセスの起動後に、第一送信器をリセットせずに受信器をリセットする段階とを含むことを特徴とするリセット処理方法。
【請求項２】
前記受信器でリセットプロセスを起動する段階は、リセット要求パケットを第二通信装置に出力し、第二通信装置の第二送信器をリセットしてリセットパケットを出力するように第二通信装置に要求し、次の送信パケットに用いられるＨＦＮ（ハイパーフレーム番号）を第二通信装置の第二送信器に指示することを内容とすることを特徴とする請求項１に記載のリセット処理方法。
【請求項３】
前記リセットプロセスの起動後に第一送信器をリセットせずに受信器をリセットする段階は、データパケットの受信をすべて停止することを含むことを特徴とする請求項１に記載のリセット処理方法。
【請求項４】
前記リセットプロセスの起動後に第一送信器をリセットせずに受信器をリセットする段階は、第一送信器に対応する制御パケットを受信することを含むことを特徴とする請求項１に記載のリセット処理方法。
【請求項５】
前記リセットプロセスの起動後に第一送信器をリセットせずに受信器をリセットする段階は、受信器の受信状態に対応する肯定応答信号を削除することを含むことを特徴とする請求項１に記載のリセット処理方法。
【請求項６】
前記リセットプロセスの起動後に第一送信器をリセットせずに受信器をリセットする段階は、タイマーＴｉｍｅｒ＿Ｓｔａｔｕｓ＿ＰｅｒｉｏｄｉｃとタイマーＴｉｍｅｒ＿Ｓｔａｔｕｓ＿Ｐｒｏｈｉｂｉｔを停止することを含むことを特徴とする請求項１に記載のリセット処理方法。
【請求項７】
前記方法は更に、受信器のリセットを完成させた後に、リセット肯定応答パケットを第二通信装置に返送する段階を含み、該リセット肯定応答パケットは、次の送信パケットに用いられるＨＦＮを第一送信器に指示する指示フィールドを含まないことを特徴とする請求項１に記載のリセット処理方法。
【請求項８】
前記第一通信装置はＡＭ（アクノレッジモード）モードで動作することを特徴とする請求項１に記載のリセット処理方法。
【請求項９】
前記第一通信装置はＵＥ（ユーザー装置）であることを特徴とする請求項１に記載のリセット処理方法。
【請求項１０】
前記第一通信装置はネットワークであることを特徴とする請求項１に記載のリセット処理方法。
【請求項１１】
無線通信システムにおいてリセットを正確に処理する第一通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、そのうちプログラムコードは、
第一送信器と受信器を形成するコードと、
第二通信装置から出力されたパケットを受信器で受信するコードと、
上記パケットに基づいて、受信器でプロトコルエラーが検出されたときに該受信器でリセットプロセスを起動するコードと、
リセットプロセスの起動後に、第一送信器をリセットせずに受信器をリセットするコードとを含むことを特徴とする通信装置。
【請求項１２】
前記受信器でリセットプロセスを起動するコードは、リセット要求パケットを第二通信装置に出力し、第二通信装置の第二送信器をリセットしてリセットパケットを出力するように第二通信装置に要求し、次の送信パケットに用いられるＨＦＮを第二通信装置の第二送信器に指示することを内容とすることを特徴とする請求項１１に記載の通信装置。
【請求項１３】
前記リセットプロセスの起動後に第一送信器をリセットせずに受信器をリセットするコードは、データパケットの受信をすべて停止することを含むことを特徴とする請求項１１に記載の通信装置。
【請求項１４】
前記リセットプロセスの起動後に第一送信器をリセットせずに受信器をリセットするコードは、第一送信器に対応する制御パケットを受信することを含むことを特徴とする請求項１１に記載の通信装置。
【請求項１５】
前記リセットプロセスの起動後に第一送信器をリセットせずに受信器をリセットするコードは、受信器の受信状態に対応する肯定応答信号を削除することを含むことを特徴とする請求項１１に記載の通信装置。
【請求項１６】
前記リセットプロセスの起動後に第一送信器をリセットせずに受信器をリセットする段階は、タイマーＴｉｍｅｒ＿Ｓｔａｔｕｓ＿ＰｅｒｉｏｄｉｃとタイマーＴｉｍｅｒ＿Ｓｔａｔｕｓ＿Ｐｒｏｈｉｂｉｔを停止することを含むことを特徴とする請求項１１に記載の通信装置。
【請求項１７】
前記プログラムコードは更に、受信器のリセットを完成させた後に、リセット肯定応答パケットを第二通信装置に返送するコードを含み、該リセット肯定応答パケットは、次の送信パケットに用いられるＨＦＮを第一送信器に指示する指示フィールドを含まないことを特徴とする請求項１１に記載の通信装置。
【請求項１８】
前記第一通信装置はＡＭモードで動作することを特徴とする請求項１に記載のリセット処理方法。
【請求項１９】
前記第一通信装置はＵＥであることを特徴とする請求項１１に記載の通信装置。
【請求項２０】
前記第一通信装置はネットワークであることを特徴とする請求項１１に記載の通信装置。
【請求項２１】
無線通信システムの第一通信装置においてリセットを処理する方法であって、該通信装置は第一送信器と受信器を含み、該方法は、
送信器でパケットを第二通信装置に出力する段階と、
第二通信装置から出力されたリセット要求パケットを受信したときに、受信器をリセットせずに送信器をリセットする段階とを含むことを特徴とするリセット処理方法。
【請求項２２】
前記方法は更に、リセットパケットを出力する段階を含み、該リセットパケットは、次の送信パケットに用いられるＨＦＮを送信器に指示するＨＦＮ指示フィールドを含まないことを特徴とする請求項２１に記載のリセット処理方法。
【請求項２３】
前記第一通信装置はＡＭモードで動作することを特徴とする請求項２１に記載のリセット処理方法。
【請求項２４】
前記第一通信装置はＵＥであることを特徴とする請求項２１に記載のリセット処理方法。
【請求項２５】
前記第一通信装置はネットワークであることを特徴とする請求項２１に記載のリセット処理方法。
【請求項２６】
無線通信システムにおいてリセットを正確に処理する第一通信装置であって、
通信装置の機能を実現させる制御回路と、
制御回路の中に設けられ、プログラムコードを実行して制御回路を制御するＣＰＵと、
制御回路の中でＣＰＵと結合されるように設けられ、プログラムコードを保存するための保存装置とを含み、そのうちプログラムコードは、
第一送信器と受信器を形成するコードと、
送信器でパケットを第二通信装置に出力するコードと、
第二通信装置から出力されたリセット要求パケットを受信したときに、受信器をリセットせずに送信器をリセットするコードとを含むことを特徴とする通信装置。
【請求項２７】
前記プログラムコードは更に、リセットパケットを出力するコードを含み、該リセットパケットは、次の送信パケットに用いられるＨＦＮを送信器に指示するＨＦＮ指示フィールドを含まないことを特徴とする請求項２６に記載の通信装置。
【請求項２８】
前記第一通信装置はＡＭモードで動作することを特徴とする請求項２６に記載の通信装置。
【請求項２９】
前記第一通信装置はＵＥであることを特徴とする請求項２６に記載の通信装置。
【請求項３０】
前記第一通信装置はネットワークであることを特徴とする請求項２６に記載の通信装置。
【発明の詳細な説明】
【技術分野】
【０００１】
本発明は無線通信システムにおいてリセットを処理する方法及び装置に関し、特にプロトコルエラーを正確に処理して伝送効率を向上させ、ＰＤＵ（プロトコルデータユニット）の不必要な削除を回避する方法及び装置に関する。
【背景技術】
【０００２】
第三世代移動通信技術はＷＣＤＭＡ（広帯域符号分割多元接続）方式で高いスペクトル利用効率、カバー率、通話品質及び高速伝送を実現させるとともに、ＱｏＳ（サービス品質）の確保、柔軟性のある双方向通信の実現、通話中断率の低減を可能にする。
【０００３】
３ＧＰＰが制定した通信プロトコルによれば、ＡＳ（アクセスストラタム）にはＲＲＣ（無線資源制御）、ＲＬＣ（無線リンク制御）、ＭＡＣ（媒体アクセス制御）、ＰＤＣＰ（パケットデータ収斂プロトコル）、ＢＭＣ（ブロードキャスト／マルチキャスト制御）など機能が異なる副層が含まれている。一方、第三世代移動通信システムは伝送品質に応じて、ＴＭ（透過モード）、ＵＭ（非アクノレッジモード）、ＡＭ（アクノレッジモード）モードを提供する。
【０００４】
上記ＡＭモードにおいて、ＲＬＣ層は送信側（ｔｒａｎｓｍｉｔｔｉｎｇ  ｓｉｄｅ）と受信側（ｒｅｃｅｉｖｉｎｇ  ｓｉｄｅ）からなる。送信側と受信側とは、ＲＬＣ層において送受信を処理する部分をいい、両者はシステム資源を共用する。例えば、アップリンク伝送をＵＥ（携帯装置）の送信側とネットワークの受信側で処理し、ダウンリンク伝送をＵＥの受信側とネットワークの送信側で処理することが可能である。
【０００５】
データの正確性を保持するため、ＡＭモードでプロトコルエラーが検出されたときは、リセットプロセスを起動すべきである。プロトコルエラーの有無は、送信端のＲＬＣエンティティーで下記状況が検出されたかどうかによって判断する。
【０００６】
１．「パラメータＭａｘＤＡＴ送信回数達成後にリセット」モードが起動され、かつ変数ＶＴ（ＤＡＴ）がパラメータＭａｘＤＡＴと一致した場合。変数ＶＴ（ＤＡＴ）は、ＡＭモードでＰＤＵを送信スケジュールに入れる回数を示し、パラメータＭａｘＤＡＴは変数ＶＴ（ＤＡＴ）の上限値を示す。
【０００７】
２．変数ＶＴ（ＭＲＷ）がパラメータＭａｘＭＲＷと一致した場合。変数ＶＴ（ＭＲＷ）：ＭＲＷ（受信ウィンドウ移動）指令の送信回数を示し、パラメータＭａｘＭＲＷ：変数ＶＴ（ＭＲＷ）の上限値を示す。
【０００８】
３．受信端から送信端に返送された状態ＰＤＵまたはピギーバック状態ＰＤＵにエラーシーケンス番号が含まれた場合。例えば、否定応答と返答されたシーケンス番号が先に肯定応答と返答された場合、または肯定応答と返答されたシーケンス番号が送信端により送信されていない場合。
【０００９】
上記リセットを起動すべき状況はいずれも送信側に発生し、すなわちＵＥでアップリンク伝送を行うときまたはネットワークでダウンリンク伝送を行うときにのみ発生する。リセットプロセスが起動されると、送信側と受信側は両方ともリセットされ、すべてのデータ伝送は停止となる。同時に、送信端と受信端はＨＦＮ（ハイパーフレーム番号）を交換し、一時保存されたパケット（受信したが上位層に転送していないパケットと送信予定のパケットを含む）は削除され、状態変数はリセットされ、データ伝送はリセット完成後に再開される。そのため、リセットプロセスは所要時間が長いのみならず、データ紛失を招来しかねない。
【発明の開示】
【発明が解決しようとする課題】
【００１０】
本発明は前述の問題を改善するため、無線通信システムにおいてリセットを処理する方法及び装置を提供することを課題とする。
【課題を解決するための手段】
【００１１】
本発明は無線通信システムの第一通信装置においてリセットを処理する方法を提供する。該通信装置は第一送信器と受信器を含む。該方法は、第二通信装置から出力されたパケットを受信器で受信する段階と、上記パケットに基づいて、受信器でプロトコルエラーが検出されたときに該受信器でリセットプロセスを起動する段階と、リセットプロセスの起動後に、第一送信器をリセットせずに受信器をリセットする段階とを含む。
【００１２】
本発明は更に、無線通信システムにおいてリセットを正確に処理する第一通信装置を提供する。該通信装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。該プログラムコードは、第一送信器と受信器を形成するコードと、第二通信装置から出力されたパケットを受信器で受信するコードと、上記パケットに基づいて、受信器でプロトコルエラーが検出されたときに該受信器でリセットプロセスを起動するコードと、リセットプロセスの起動後に、第一送信器をリセットせずに受信器をリセットするコードとを含む。
【００１３】
本発明は更に、無線通信システムの第一通信装置においてリセットを処理する方法を提供する。該通信装置は第一送信器と受信器を含む。該方法は、送信器でパケットを第二通信装置に出力する段階と、第二通信装置から出力されたリセット要求パケットを受信したときに、受信器をリセットせずに送信器をリセットする段階とを含む。
【００１４】
本発明は更に、無線通信システムにおいてリセットを正確に処理する第一通信装置を提供する。該通信装置は、通信装置の機能を実現させる制御回路と、制御回路の中に設けられ、プログラムコードを実行して制御回路を制御するＣＰＵと、制御回路の中でＣＰＵと結合されるように設けられ、プログラムコードを保存するための保存装置とを含む。該プログラムコードは、第一送信器と受信器を形成するコードと、送信器でパケットを第二通信装置に出力するコードと、第二通信装置から出力されたリセット要求パケットを受信したときに、受信器をリセットせずに送信器をリセットするコードとを含む。
【発明の効果】
【００１５】
本発明ではＲＬＣ層の受信器でプロトコルエラーが検出されたときに、ＲＬＣ層の受信器と、対応するＲＬＣ層の送信器のみリセットするため、プロトコルエラーを正確に処理し、伝送効率を向上させ、ＰＤＵの不必要な削除を回避することができる。
【発明を実施するための最良の形態】
【００１６】
かかる方法及び装置の特徴を詳述するために、具体的な実施の形態を挙げ、図示を参照して以下に説明する。
【００１７】
図１を参照する。図１は無線通信システムの無線通信装置１００のブロック図である。説明を簡素化するため、図１では無線通信装置１００の入力装置１０２、出力装置１０４、制御回路１０６、ＣＰＵ（中央処理装置）１０８、保存装置１１０、プログラムコード１１２及びトランシーバー１１４のみ描かれている。無線通信装置１００では、制御回路１０６はＣＰＵ１０８で保存装置１１０に保存されるプログラムコード１１２を実行し、無線通信装置１００の動作を制御する。制御回路１０６は入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６からの信号を無線で出力する。言い換えれば、通信プロトコルに当てはめれば、トランシーバー１１４は第一層の一部とみなされ、制御回路１０６は第二層と第三層の機能を実現させる装置である。望ましくは、無線通信装置１００は第三世代移動通信システムに用いられる。
【００１８】
図２を参照する。図２は図１に示すプログラムコード１１２を表す説明図である。アプリケーション層２００と、第三層インターフェイス２０２と、第二層インターフェイス２０６からなるプログラムコード１１２は、第一層インターフェイス２１８と接続されている。信号を発するとき、第二層インターフェイス（ＲＬＣ層またはＰＤＣＰ層）２０６は第三層インターフェイス２０２によって出力されたデータに基づいて複数のＳＤＵ（サービスデータユニット）２０８を生成してバッファ２１２に保存する。その後、第二層インターフェイス２０６はバッファ２１２に保存されたＳＤＵ２０８に基づいて複数のＰＤＵ２１４を生成して第一層インターフェイス２１８を介して送信先に出力する。それに反して、無線信号を受信するときは第一層インターフェイス２１８で信号を受信し、これをＰＤＵ２１４形式で第二層インターフェイス２０６に出力する。その後、第二層インターフェイス２０６はＰＤＵ２１４をＳＤＵ２０８に還元してバッファ２１２に保存し、更にバッファ２１２に保存されたＳＤＵを第三層インターフェイス２０２に送信する。
【００１９】
ＡＭモードで動作する無線通信装置１００では、第二層インターフェイス２０６は送信器（送信側）と受信器（受信側）の結合（例えばＲＬＣ層の送信担当と受信担当の部分）とみなしてよい。データの正確性を向上させるため、本実施形態はリセットプロセスを適時に起動してプロトコルエラーを回復するためのリセット処理プログラムコード２２０を提供する。
【実施例１】
【００２０】
図３を参照する。図３は本実施例１による方法３０のフローチャートである。下記方法３０は無線通信システムの第一通信装置においてリセット処理に用いられ、リセット処理プログラムコード２２０としてコンパイルすることができる。第一通信装置はＵＥまたはネットワークであり、第二層インターフェイスは第一送信器と受信器を含む。
【００２１】
ステップ３００：開始。
ステップ３０２：第二通信装置から出力されたＰＤＵを受信器で受信する。
ステップ３０４：上記ＰＤＵに基づいて、受信器でプロトコルエラーが検出されたときに該受信器でリセットプロセスを起動する。
ステップ３０６：リセットプロセスの起動後に、第一送信器をリセットせずに受信器をリセットする。
ステップ３０８：終了。
【００２２】
以上のとおり、ＲＬＣ層の受信器でプロトコルエラーが検出されたとき、本実施例では第一送信器をリセットせずに受信器のみリセットする。言い換えれば、送信器はリセットプロセスの影響を受けずにＰＤＵを継続して送信することができる。これはリセットの所要時間を節減するのみならず、送信器の正常動作を保持し、伝送効率を向上させ、ＰＤＵの不必要な削除を回避することに役立つ。
【００２３】
望ましくは、受信器でリセットプロセスを起動した後、本実施例ではリセット要求ＰＤＵを第二通信装置に出力し、第二通信装置に含まれた第二送信器をリセットし、次に送信予定のＰＤＵに用いられるＨＦＮを第二送信器に指示するリセットＰＤＵを出力するように第二通信装置に要求する。リセットの完成後、本実施例ではリセット肯定応答ＰＤＵ（ＲＥＳＥＴ  ＡＣＫ  ＰＤＵ）を返送する。望ましくは、リセット肯定応答ＰＤＵは、次に送信予定のＰＤＵに用いられるＨＦＮを第一送信器に指示する指示フィールドを含まない。
【００２４】
リセットプロセスでは下記動作を実行することが望ましい。
【００２５】
１．データＰＤＵの受信を停止する。
２．第一送信器に対応する制御ＰＤＵ、例えばＷＩＮＤＯＷ  ＳＵＦＩ、ＭＲＷ＿ＡＣＫ、リセット要求ＰＤＵ、第二通信装置から返送された受信状態の肯定応答信号を継続して受信する。
３．受信器の受信状態に対応する肯定応答信号を削除する。
４．Ｔｉｍｅｒ＿Ｓｔａｔｕｓ＿Ｐｅｒｉｏｄｉｃ、Ｔｉｍｅｒ＿Ｓｔａｔｕｓ＿Ｐｒｏｈｉｂｉｔ、Ｔｉｍｅｒ＿Ｐｏｌｌ、Ｔｉｍｅｒ＿Ｐｏｌｌ＿Ｐｒｏｈｉｂｉｔ、Ｔｉｍｅｒ＿ＭＲＷ、Ｔｉｍｅｒ＿Ｄｉｓｃａｒｄ及びその他リセットプロセスに対応するタイマーを停止する。
【００２６】
したがって、本実施例では、ＲＬＣ層の受信器でプロトコルエラーが検出された場合、送信器をリセットせずに受信器のみでリセットプロセスを起動する。受信器でリセットプロセスを起動した後、本実施例ではリセット要求ＰＤＵを出力して、第二通信装置に含まれた第二送信器をリセットし、リセットＰＤＵを出力するように第二通信装置に要求する。言い換えれば、本実施例では送信器をリセットせずに、受信器のみでリセットプロセスを起動するため、伝送効率を向上させることができる。それと比べて、従来の技術では送信器でリセットを実行するほかない。また、従来の技術ではリセットの起動後に送信器と受信器を両方ともリセットするため、所要時間が長く、ＰＤＵが不必要に削除されるという欠点がある。
【００２７】
簡単に言えば、上記方法を通して、ＲＬＣ層の受信器でプロトコルエラーが検出された場合、本実施例ではＲＬＣ層の送信器をリセットせずに受信器のみリセットするため、送信器の正常動作を維持し、伝送効率を向上させることができる。
【実施例２】
【００２８】
図４を参照する。図４は本実施例２による方法４０のフローチャートである。以下に示すステップ４００〜ステップ４０６を含む方法４０は、無線通信システムの通信装置においてリセット処理に用いられ、リセット処理プログラムコード２２０としてコンパイルすることができる。通信装置はＵＥまたはネットワークであり、第二層インターフェイス（ＲＬＣ層またはＰＤＣＰ層）は送信器と受信器を含む。
【００２９】
ステップ４００：開始。
ステップ４０２：送信器でＰＤＵを第二通信装置に出力する。
ステップ４０４：第二通信装置から出力されたリセット要求ＰＤＵを受信したときに、受信器をリセットせずに送信器をリセットする。
ステップ４０６：終了。
【００３０】
上記方法４０は方法３０と合わせて実行される。送信器でＰＤＵを出力するとき、第二通信装置から出力されたリセット要求ＰＤＵを受信したとき、本実施例では受信器をリセットせずに送信器のみリセットする。言い換えれば、受信器はリセットの影響を受けずにＰＤＵを継続して受信することができる。これは、所要時間を節減するのみならず、受信器の正常動作を保持し、伝送効率を向上させ、ＰＤＵの不必要な削除を回避することに役立つ。
【００３１】
望ましくは、本実施例では第二通信装置から出力されたリセット要求ＰＤＵに基づいてリセットＰＤＵを出力し、次に送信予定のＰＤＵに用いられるＨＦＮを送信器に指示する。
【００３２】
したがって、上記方法４０を通して、第二通信装置でプロトコルエラーが検出されると、本実施例では受信器をリセットせずに送信器のみリセットするため、リセットの所要時間を節減して受信器の正常動作を保持し、伝送効率を向上させ、ＰＤＵの不必要な削除を回避することができる。
【００３３】
上記方法３０、４０を更に詳しく説明する図示として図５を参照する。図５は本実施例によるリセットプロセスの動作を表す説明図である。図５に示すように、通信装置５００、５０２はそれぞれ受信器Ｒｘと送信器Ｔｘを含む。通信装置５００の送信器Ｔｘでパケットを送信する過程において、通信装置５０２の受信器Ｒｘでプロトコルエラーが検出された場合、通信装置５０２の受信器Ｒｘでリセット要求ＰＤＵ５０４を出力してリセットプロセスを起動する。通信装置５００でリセット要求ＰＤＵ５０４を受信した後、通信装置５００の送信器ＴｘはリセットＰＤＵ５０６を返送する。このリセットＰＤＵ５０６は、次に送信予定のＰＤＵに用いられるＨＦＮを通信装置５００の送信器Ｔｘに指示するＨＦＮ指示フィールドを含まない。次に、通信装置５０２でリセットＰＤＵ５０６を受信した後、通信装置５０２の受信器Ｒｘでリセット肯定応答ＰＤＵ５０８を返送し、リセットを完成させる。このリセット肯定応答ＰＤＵ５０８はＨＦＮ指示フィールドを含まなくてもよい。言い換えれば、本実施例によるリセットプロセスでは通信装置５００の送信器Ｔｘと通信装置５０２の受信器Ｒｘのみリセットし、通信装置５００の受信器Ｒｘと通信装置５０２の送信器Ｔｘは正常に動作し続けるため、伝送効率はそれによって向上する。
【００３４】
以上は本発明の好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００３５】
本発明は従来の動作条件に変更を加えたのみであり、当然実施可能である。
【図面の簡単な説明】
【００３６】
【図１】無線通信システムの無線通信装置のブロック図である。
【図２】図１に示すプログラムコードを表す説明図である。
【図３】本発明の実施例１による方法のフローチャートである。
【図４】本発明の実施例２による方法のフローチャートである。
【図５】本発明によるリセットプロセスの動作を表す説明図である。
【符号の説明】
【００３７】
１００  無線通信装置
１０２  入力装置
１０４  出力装置
１０６  制御回路
１０８  ＣＰＵ
１１０  保存装置
１１２  プログラムコード
１１４  トランシーバー
２００  アプリケーション層
２０２  第三層インターフェイス
２０６  第二層インターフェイス
２０８  ＳＤＵ
２１２  バッファ
２１４  ＰＤＵ
２１８  第一層インターフェイス
２２０  リセット処理プログラムコード
５００、５０２  通信装置
５０４  リセット要求ＰＤＵ
５０６  リセットＰＤＵ
５０８  リセット肯定応答ＰＤＵ
【図１】
2008172796.tif 000003
【図２】
2008172796.tif 000004
【図３】
2008172796.tif 000005
【図４】
2008172796.tif 000006
【図５】
2008172796.tif 000007